(57)【特許請求の範囲】
【請求項１】
濡れた傘を挿入する筒体と、当該筒体内側に設けられ、空洞部と当該空洞部から表面まで貫通する穴とを有する吸水部と、当該吸水部の穴から傘に付着した水滴を吸引する吸引手段とを有する傘除水機において、
当該吸水部を覆い毛細管現象を有する特殊吸収体と、当該特殊吸収体を覆い特殊吸収体より吸水速度の速い吸収体とを有することを特徴とする傘除水機。
【請求項２】
前記特殊吸収体は、多孔質体であることを特徴とする請求項１記載の傘除水機。
【請求項３】
前記特殊吸収体は、前記吸収体より高密度な布であることを特徴とする請求項１記載の傘除水機。
【請求項４】
前記特殊吸収体は、繊維により毛細管状態を形成する布であることを特徴とする請求項１記載の傘除水機。
【請求項５】
前記吸収体は、前記特殊吸収体より低密度な布であることを特徴とする請求項１記載の傘除水機。
【請求項６】
前記吸水部は、略三角形状であることを特徴とする請求項１〜５の何れか１に記載の傘除水機の吸引構造。
【請求項７】
前記吸水部は、円管状で前記筒体の傘挿入口に有することを特徴とする請求項１〜５の何れか１に記載の傘除水機の吸引構造。
【請求項８】
前記吸水部は、表面に前記穴上を通る溝を有することを特徴とする請求項１〜７の何れか１に記載の傘除水機。
【請求項９】
空洞部と側面に有し当該空洞部から表面まで貫通する穴とを有する筐体と、当該筐体の穴から傘に付着した水滴を吸引する吸引手段とを有する傘除水機において、
当該筐体の側面を覆う多孔質体の特殊吸収体と、当該特殊吸収体を覆い特殊吸収体より吸水速度の速い繊維状の吸収体とを有することを特徴とする傘除水機。
【請求項１０】
前記筐体は、側面に前記穴上を通る溝を有することを特徴とする請求項９に記載の傘除水機。
【発明の詳細な説明】
【０００１】
【発明の属する技術分野】
本発明は表面に付着した液体を吸引する吸引部の吸引構造、及び濡れた傘を除水する傘除水機の吸引構造に関する。
【０００２】
【従来の技術】
従来、傘に付着した水滴の除水方法としては、図１１に示すような傘除水機がある。図に示す従来の傘除水機は、濡れた傘を挿入する筒体１と、空洞部と当該空洞部から表面まで貫通する穴とを有する吸水部２と、この吸水部２を覆い傘に付着した水滴を拭き取って吸水する繊維状の吸収体６と、吸収体６で吸水した水滴を吸水部２の穴および空洞部から吸引する吸引手段５によって構成されていた。
【０００３】
【発明が解決しようとする課題】
しかし、従来の傘除水機では、吸引手段５によって吸水部２に設けられた穴および空洞部から吸収体６で拭き取り吸水した水滴が吸引されるため、基本的に吸収体６は常に所定の吸水能力が維持されるが、吸引手段５の吸引力が吸収体６全面に及ばない場合や、吸収体６が吸水部２に密着していない場合などは、吸引手段５の吸引力が効果的に作用せず、吸収体６に含む水滴の量が徐々に増加して傘の除水能力が維持できなくなる場合がある。
【０００４】
そこで本発明はかかる問題に鑑み、傘に付着した水滴の迅速な拭き取り吸水を可能とし、かつ時間の経過によらず常にある程度の除水能力を維持できる傘除水機を提供することを目的とする。
【０００５】
【課題を解決するための手段】
かかる目的を達成するため、本発明にかかる傘除水機は、濡れた傘を挿入する筒体と、当該筒体内側に設けられ、空洞部と当該空洞部から表面まで貫通する穴とを有する吸水部と、当該吸水部の穴から傘に付着した水滴を吸引する吸引手段とを有する傘除水機において、当該吸水部を覆い毛細管現象を有する特殊吸収体と、当該特殊吸収体を覆い特殊吸収体より吸水速度の速い繊維状の吸収体とを有することとする。
【０００６】
この場合、特殊吸収体は、多孔質体、又は繊維により毛細管状態を形成する布であることが望ましく、前記吸収体より繊維密度が高いことが望ましい。
【０００７】
一方、前記吸収体は、前記特殊吸収体より繊維密度が低い布であることが望ましい。
【０００８】
更に、前記吸水部は、略三角形状であること、または円管状で前記筒体の傘挿入口に有するものであっても良い。
【０００９】
また、前記吸水部は、表面に前記穴上を通る溝を有することが望ましい。
【００１０】
本発明にかかる別の傘除水機は、空洞部と側面に有し当該空洞部から表面まで貫通する穴とを筐体と、当該筐体の穴から傘に付着した水滴を吸引する吸引手段とを有する傘除水機において、当該筐体の側面を覆う多孔質体の特殊吸収体と、当該特殊吸収体を覆い特殊吸収体より吸水速度の速い繊維状の吸収体とを有することとする。
【００１１】
この場合、前記筐体は、側面に前記穴上を通る溝を有することが望ましい。
【００１２】
【発明の実施の形態】
次に本発明にかかる実施の形態について図面を参照して説明する。
【００１３】
図１は本発明にかかる第１の傘除水機の模式図を示している。
【００１４】
図において、第１の傘除水機は、濡れた傘を挿入する筒体１と、筒体１内側に設けられ、空洞部と当該空洞部から表面まで貫通する穴とを有する複数の吸水部２と、吸水部２を覆う多孔質体の特殊吸収体３と、特殊吸収体３を覆い特殊吸収体より吸水速度の速い繊維状の吸収体４と、吸水部２の空洞部および穴から水滴を吸引する吸引手段５とを備えている。
【００１５】
この吸水部２、特殊吸収体３、吸収体４の関係は、図２に示すように、特殊吸収体３は吸水部２を覆ように密着されており、同様に吸収体４は特殊吸収体３を覆うように密着されている。
【００１６】
この特殊吸収体３は多孔質体であり、特に微細な連続気孔を有する微細気孔構造であることが望ましい。この微細気孔構造の多孔質体は、微細気孔構造に基づく毛細管現象により吸水性能および保水性能が優れており、急速な吸水性能を有する物ではないが、吸い取った水滴を微細気孔内部まで移動させて大量の水滴を保水することができる。また、特殊吸収体の通気はこの微細気孔によるため、表面だけでも保水すると通気口となる微細気孔は水滴で埋め尽くされるため、吸水反対面から吸引すると、極めて効率よく水滴を吸引することができる。
【００１７】
一方、吸水部２の表面には、図３に示すように、穴上を通り、穴を基点とした葉脈状の溝が複数設けられている。
【００１８】
次に、本発明の動作について説明する。
【００１９】
濡れた傘を筒体１の開口部から挿入すると、傘の骨は吸水部２により分離されて傘のヒダが吸水部２を覆っている吸収体４に密着する。
【００２０】
傘のヒダが吸収体４に密着することにより傘に付着した水滴は吸収体４で吸水され、傘の挿入動作に伴い、吸収体４は傘のヒダに密着しながら当該傘に付着した水滴を拭き取る動作が行われるため、吸収体４による吸水効率がより一層向上する。このように、傘に付着した水滴は吸収体４に拭き取られることで効果的に吸水することができるため、傘を挿入した後も傘を挿抜することで、より一層の効果が期待できる。
【００２１】
吸収体４で吸水した水滴は、更に特殊吸収体３によって吸水される。特殊吸収体３はその微細気孔の毛細管現象により吸水した水滴を微細機構内部まで移動させ、大量の水滴を保水する。
【００２２】
そして、吸引手段５は吸水部２の空洞および穴を介して特殊吸収体３で保水している水滴を吸引する。
【００２３】
特殊吸収体３は、上述したように、通気は微細気孔によってのみ行うため、保水すると通気口となる微細気孔は水滴で埋め尽くされるので、極めて効率よく水滴を吸引することができる。これは、吸水部２と特殊吸収体３との隙間からや、特殊吸収体３の空気漏れなどによる吸引ロスを低減できることによるものである。
【００２４】
更に、吸水部２表面には、穴上を通り、穴を基点とした葉脈状の溝が複数設けられているため、吸引手段５の吸引力が確実に吸水部２全面に及ぶので、吸引効率が更に向上する。
【００２５】
一方、図４、５に示すように、吸水部２を筒短軸方向に短くして数段構成としても良く、反対に吸水部２を長くして筒体軸方向には１段のみとしても同様の作用効果を得られる。なお、図４は傘除水機の模式図を示し、図５は図４における傘除水機の吸水部の詳細な構成を示している。
【００２６】
次に、図６を参照して、本発明にかかる第２の傘除水機について説明する。
【００２７】
図において、第２の傘除水機は、濡れた傘を挿入する筒体１と、筒体１内側に設けられ、空洞部と当該空洞部から表面まで貫通する穴とを有する複数の吸水部２と、隣接する吸水部２間に設けられて空洞部と当該空洞部から表面まで貫通する穴とを有する複数の略三角柱状の吸水部７と、吸水部２および吸水部７をそれぞれ覆う多孔質体の特殊吸収体３と、特殊吸収体３を覆い特殊吸収体より吸水速度の速い繊維状の吸収体４と、吸水部２の空洞部および穴から水滴を吸引する吸引手段５とを備えている。
【００２８】
次に、第２の傘除水機の動作について説明する。
【００２９】
濡れた傘を筒体１の開口部から挿入すると、傘の骨は吸水部２により分離されて傘のヒダが吸水部２を覆っている吸収体４に密着する。
【００３０】
同時に、吸水部２で分離された傘のヒダのうち吸水部２を覆っている吸収体４に密着しない部分は、隣接する吸水部２間に設けられた吸水部７を覆っている吸収体４に密着する。
【００３１】
このように傘のヒダが吸水部２および吸水部７を覆う吸収体４に密着することにより傘に付着した水滴はそれぞれの吸収体４で吸水され、傘の挿入動作に伴い、吸収体４は傘のヒダに密着しながら当該傘に付着した水滴を拭き取る動作が行われる。
【００３２】
吸収体４で吸水した水滴は、更に特殊吸収体３によって吸水され、特殊吸収体３はその微細気孔の毛細管現象により吸水した水滴を微細機構内部まで移動させ、大量の水滴を保水する。
【００３３】
そして、吸引手段５は吸水部２および吸水部７の空洞および穴を介して特殊吸収体３で保水している水滴を吸引する。
【００３４】
また、図３および図７に示すように、吸水部２および吸水部７表面には、穴上を通り、穴を基点とした葉脈状の溝が複数設けられているため、吸引手段５の吸引力が確実に吸水部２および吸水部７全面に及ぶので、吸引効率が更に向上する。
【００３５】
なお、第２の傘除水機における吸水部７の代わりに、図８、図９に示すように、筒体挿入口に円管状の吸水部８を設けることで、更に傘除水機の除水能力を向上させることができる。
【００３６】
次に、図１０を参照して、本発明にかかる第３の傘除水機を説明する。
【００３７】
図において、第３の傘除水機は、内側面に穴を有し、当該穴を連結する空洞部を有する筐体９と、筐体９内側面を覆う多孔質体の特殊吸収体３と、特殊吸収体３を覆い特殊吸収体より吸水速度の速い繊維状の吸収体４と、筐体９の空洞部および穴から水滴を吸引する吸引手段５とを備えている。
【００３８】
この筐体９、特殊吸収体３、吸収体４の関係は、図１０断面図に示すように、特殊吸収体３は筐体９の内側面を覆ように密着されており、同様に吸収体４は特殊吸収体３を覆うように密着されている。
【００３９】
一方、筐体９の内側面には、穴上を通り、穴を基点とした葉脈状の溝が複数設けられている（図示しない）。
【００４０】
次に、第３の傘除水機の動作について説明する。
【００４１】
濡れた傘を筐体９の開口部から挿入して吸収体４に傘のヒダを当接させると、傘に付着した水滴は吸収体４で吸水され、更に、傘の挿入動作等に伴い、傘に付着した水滴が吸収体４で拭き取られる。
【００４２】
吸収体４で吸水した水滴は、更に特殊吸収体３によって吸水され、特殊吸収体３はその微細気孔の毛細管現象により吸水した水滴を微細機構内部まで移動させ、大量の水滴を保水する。
【００４３】
そして、吸引手段５は筐体９の空洞および穴を介して特殊吸収体３で保水している水滴を吸引する。
【００４４】
また、筐体９内側面には、穴上を通り、穴を基点とした葉脈状の溝が複数設けられているため、吸引手段５の吸引力が確実に筐体９内側面全面に及ぶので、吸引効率が更に向上する。
【００４５】
なお、第３の傘除水機では筐体９を箱状としたが、円筒状でも、吸収体４が外部に露出した板状の様な構成であっても、同様の作用効果を奏することができる。
【００４６】
以上の説明では特殊吸収体は多孔質体として説明したが、毛細管現象を有するものであれば他の材質でも同様の作用効果を奏し、また繊維により毛細管状態を形成する布であっても同様である。つまり、特殊吸収体は、毛細管現象により吸水した水滴を特殊吸収体内部まで移動させて保水する機能を有するものである。
【００４７】
また別の観点から本発明を見ると、まず、特殊吸収体に比べて繊維密度が低く吸水速度の早い吸収体により傘に付着した水滴を迅速に拭き取り、その後、吸収体に比べて繊維密度が高い繊維又は微細な多孔質体である特殊吸収体により吸収体で拭き取った水滴を吸水し、吸引手段により吸引ロスの少ない特殊吸収体から水滴を吸引するというものである。
【００４８】
【発明の効果】
以上説明したように本発明によれば、吸水部を覆う吸収体として、毛細管現象を有する特殊吸収体と、特殊吸収体より吸水速度の速い繊維状の吸収体の二重構造とすることで、両者の特徴を効果的に組み合わされ、極めて顕著な相乗効果を発揮することができる。
【００４９】
この場合、特殊吸収体を多孔質体又は繊維により毛細管状態を形成する布とすることで、より現実的に上記効果を発揮することができる。
【００５０】
また、この吸水部を略三角形状とすることで、傘のヒダとの当接面積を広げることができ、更に傘挿入口に円管状の吸水部を設けることで、傘の除水能力を更に向上させることができる。
【００５１】
更に、吸水部表面に前記穴上を通る溝を有することで、吸引手段による吸引力が吸引部全面に及ぶため、より効率的な吸引を行うことができる。
【００５２】
一方、傘除水機の筐体側面に上記特殊吸収体および吸収体を設けることでも、様々な用途に応じた設置を可能とし、上記同様の作用効果を得ることができる。
【図面の簡単な説明】
【図１】本発明にかかる第１の傘除水機の縦断面及び上面を示した図。
【図２】吸水部の断面を示した図。
【図３】吸水部の構成を示した図。
【図４】第１の傘除水機の構成変更例を示した図。
【図５】図４における吸水部の構成を示した図。
【図６】本発明にかかる第２の傘除水機の縦断面及び上面を示した図。
【図７】略三角柱状の吸水部の構成を示した図。
【図８】第２の傘除水機の構成変更例を示した図。
【図９】円管状の吸水部の構成を示した図。
【図１０】本発明にかかる第３の傘除水機の縦断面及び縦断面を示した図。
【図１１】従来の傘除水機を示した図。
【符号の説明】
１  筒体
２  吸水部
３  特殊吸収体
４  吸収体
５  吸引手段
６  吸収体
７  略三角柱状の吸水部
８  円管状の吸水部
９  筐体
【図１】
0003757189.tif 000002
【図２】
0003757189.tif 000003
【図３】
0003757189.tif 000004
【図４】
0003757189.tif 000005
【図５】
0003757189.tif 000006
【図６】
0003757189.tif 000007
【図７】
0003757189.tif 000008
【図８】
0003757189.tif 000009
【図９】
0003757189.tif 000010
【図１０】
0003757189.tif 000011
【図１１】
0003757189.tif 000012